Podtech/llm-jp-corpus-v4-ja_patent huggingface dataset:
(57)【要約】      （修正有）【課題】頭頸部によくフィット（適合）し、蒸れを減らし、調温・調湿にすぐれる枕の芯材を提供する。【解決手段】枕の芯材に繭玉を用い、強靭で硬い構造を具えている繭玉がもつ、枕としては過度な硬度を削ぐと同時に、弾力をつくるため、繭玉の両端を切り落とさない様に切断するとともに、切り開くことで繭玉の３箇所に切り込みを入れる。この切断加工により、繭玉の胴は、自然にまるまって、口径は、約１０％程度縮小し（縮む）、安定した巻きバネの状態になる。【選択図】図３
2015217274.tif 000002
【特許請求の範囲】
【請求項１】
枕の芯材として繭玉を利用するにあたって、繭玉の硬度を削ぐためと、弾性をもたせるために、繭玉の３箇所を切断する加工方法。
【発明の詳細な説明】
【技術分野】
【０００１】本発明は、枕の芯材に関するものである。枕の芯材に、新しい素材を用いることによって、頭頸部の蒸れなどを改善し、寝心地を向上させようとするものである。
【背景技術】
【０００２】従来から枕の芯材には、蕎麦殻や小豆、プラスチックのボールやビーズ、ポリエステル綿、ウレタンフォーム等が利用されている。
【発明の概要】
【発明が解決しようとする課題】
【０００３】従来の枕では、頭頸部が外気温や汗などの湿度により蒸れたり、頭頸部との形づくり（フィット性）等において、物足りなさが言われ続けてきた。これら枕がもつ課題を、枕の芯材を工夫することによって解決したい。
【課題を解決するための手段】
【０００４】この課題を解決するための発明は、枕の芯材に繭玉を用い、その繭玉の３箇所に切り込みを施すことを特徴とするものである。【０００５】請求項１の発明は、繭玉の３箇所に切り込みを施すことである。繭玉は、蚕や蛹を護るために、強靭で硬い構造を具えている。特に繭玉の硬さは、天然の繭玉ではそのまま枕の芯材に用いるには難がある。即ち肌ざわりが悪く、感触はゴロゴロして刺激的である。本発明によれば、繭玉の枕の芯材としては過度の硬度を削ぐ。【０００６】繭玉に切り込みを施す方法は、繭玉の両端を図１の（１）の破線部で切断する。この場合、図１の（２）の部分は切り落とさない。資源を有効利用するためである。この２箇所を切り込む理由は、蛹を取り除くための１穴と、両端のバランスをとるための１穴である。この後、繭玉は、図２−（３）の破線部で切り開く。この切断加工により、繭玉の胴は、図３のように自然にまるまって、巻きバネの状態になる。繭玉は、この切断によって、繭玉の図１−（１）部分の口径は、約１０％程度縮小し（縮む）、安定する。この、まるまった繭玉は、寝返りなど頭頸部の荷重の変動に、収縮と回復をくり返すことになる。【０００７】本発明によれば、繭玉がバネ（発条）に似た弾力をひきだすことを可能にしたが、同時に繭玉の潰れを防ぐ働きも生まれた。繭玉は、その硬さのために、一旦潰れると、元の形に戻らず容量が激減すると同時に、潰れた角（かど）が肌ざわりを悪くする。本発明は、この悩みを解決する。即ち、図面で示せば、図４は繭玉を輪切りにした切り口で、図４−（４）は胴を切り開かないもの、図４−（５）は本発明になる繭玉の切り口を示す。図５は、この２種の繭玉に荷重をかけた後の繭玉の状態を示す。図５−（６）はつぶれ、図５−（７）は、巻き締まっている。【０００８】この後、荷重を外すと、本発明になる加工（切り込み）を施した繭玉は、原形の図４−（５）に回復する。潰れた繭玉（図５−６）は、殆ど回復がみられなかった。
【発明の効果】
【０００９】本発明によれば、繭玉がバネのように収縮、回復をくり返すように働くので、頭頸部の動きにフィット（形成）する。これまでの枕の芯材で、本発明による芯材ほど、弾性を具えた素材はない。【００１０】枕が具えるべき性能の第一は、形成能、即ち頭頸部とのフィット性である。第二は、体温や外気温の影響をうけにくく、体温等を蓄熱しにくいこと。第三は、湿度の調整能で、吸湿と放湿がよいこと。第四は肌ざわりである。本発明は第一、第四の改善・改良を実現し、繭玉を枕の芯材として利用する道を開いたことになる。
【図面の簡単な説明】
【００１１】
【図１】は、繭玉を２箇所で切断を施す位置を示す。切断箇所は破線で示す。
【図２】は、繭玉の胴の１箇所を切開する部分を破線で示す。
【図３】は、繭玉の胴を、切り開いた後の状態を示す。
【図４】は、繭玉の胴を輪切りにした切り口を示す。
【図５】は、切断した繭玉の胴に、重しをかけた（圧した）ときの切り口の形を示す。
【発明を実施するための形態】
【００１２】繭玉は、切り込みの加工を施し、蛹を取り除き、洗浄した後、乾燥させて枕の芯材として用いる。
【符号の説明】
【００１３】１……繭玉の両端を切断する箇所を破線で示す。
２……繭玉の両端を切り落とさない部分を示す。
３……繭の両端を切り開く部分を破線で示す。
４……繭玉の胴を切開しない場合の切り口を示す。
５……繭玉の胴を切開した場合の切り口を示す。
６……胴を切開しない繭玉に荷重をかけた場合の潰れを示す。
７……胴を切開した繭玉に荷重をかけた場合を示す。
８……重し
【図１】
2015217274.tif 000003
【図２】
2015217274.tif 000004
【図３】
2015217274.tif 000005
【図４】
2015217274.tif 000006
【図５】
2015217274.tif 000007
(57)【要約】【課題】従来のブラシを使ってドライヤーで髪を乾かす際、上手く髪を絡ませるためにその都度ドライヤーを置かなければならないという不便さがあった。【解決手段】ブラシを手のひらにはめることにより、指先が自由に動かせるようにした。ブラシの長さを段階的に変えることにより、髪の毛が絡まりやすくした。さらに、ブラシをはめた側の指先でブラシと髪を挟むことで、しっかりと髪を梳かしやすくした。【選択図】図１
2015217277.tif 000002
【特許請求の範囲】
【請求項１】
ブラシを持たずに手のひらにはめる仕様
【請求項２】
ブラシの長さを段階的に変える仕様
【発明の詳細な説明】
【技術分野】
【０００１】本発明は、ブラシを手で握らずに手のひらにはめることにより、髪を乾かす際などに、ブラシを持ち替える手間を省き、手ぐし感覚で指先を自由に動かしながらも、髪を梳かせるようにしたものである。
【背景技術】
【０００２】従来のブラシは手に握るものであり、手のひらにはめて指先が自由に動かせるブラシが無かった。
【先行技術文献】
【０００３】
【特許文献】
【特許文献】特表２００５−５０２４１２
【発明の概要】
【発明が解決しようとする課題】
【０００４】従来のブラシを使って髪をドライヤーでブローする際、片手にブラシを持ち反対の手でブラシに髪を上手く絡ませるためにその都度ドライヤーを置かなければならないなど不便さがあった。本発明は、この課題を解消するためになされたものである。
【課題を解決するための手段】
【０００５】ブラシを手のひらにはめることによって、はめた側の指先を自由に動かせるようにした。また、ブラシの毛の長さを段階的に変えることにより、髪の毛が絡まりやすくした。さらに、ブラシをはめた側の指先でブラシと髪を挟むことで、髪が伸びやすくした。
【発明の効果】
【０００６】手のひらにはめることで、ブローする際、ブラシに髪を絡ませる為にドライヤーを置く手間が省け、自由に指先を動かし手ぐし感覚で梳かせるようになった。また、使う人の指の長さや持ちやすさによりブラシの毛の長さの向きを変えて手にはめられ、指先とブラシで髪を挟んで梳かせるようになった。
【図面の簡単な説明】
【０００７】
【図１】本発明を斜め上から見た図である。
【図２】本発明を横から見た図である。
【図３】手にはめた時の図である。
【発明を実施するための形態】
【０００８】以下、本発明の実施の形態について説明する。
図１及び図２の（１）に手のひらが入れられるようにし、（２）にブラシの毛を段階的に長さが変わるように配置する。（１）は様々な手の大きさの人が使うことを想定し、一周で閉じずにゆとりを持たせる空間（３）を設けている。
【０００９】本発明であるブラシの使用に際しては、まず（１）の手を入れる部分にブラシの毛が手のひら側に向くように装着し、手のひら側に向いたブラシの毛で髪を梳かすことができる。その際、ブラシをはめた側の指先は自由に動かせるので、指先を使って髪を梳かすこともできる。また、指を曲げて手のひらにはめたブラシとその指先とで髪を挟みこむことにより、髪の毛を絡め上手く伸ばすことができる。
【符号の説明】
【００１０】  （１）手のひらを入れる部分
（２）段階的に長さを変えたブラシ
（３）ゆとりを持たせるためのスペース
【図１】
2015217277.tif 000003
【図３】
2015217277.tif 000004
【手続補正書】
【提出日】平成26年7月3日(2014.7.3)
【手続補正１】
【補正対象書類名】図面
【補正対象項目名】全図
【補正方法】変更
【補正の内容】
【図１】
2015217277.tif 000005
【図２】
2015217277.tif 000006
【図３】
2015217277.tif 000007
(57)【要約】【課題】    老若男女万人が、動力を使わずに、背骨を傷めることなく安全に使用出来、かつ快適になるコンパクトな背筋伸ばし器を提供する。【解決手段】  円柱形のローラー（１）の中央部分に凹型の切り込み（２）を造り、中心線を描き、平らな床面の継ぎ目に中心線を合わせ、仰向けになって、背骨を凹部に載せて  ローラーと共に身体を上下移動する事による器具と人間が両方動いて背筋を伸ばす事を特徴とする。【選択図】図１
2015217271.tif 000002
【特許請求の範囲】
【請求項１】
円柱形のローラー（１）の中央部分に凹型の切り込み（２）をつけ、中心線（３）を描いた背筋伸ばし器
【発明の詳細な説明】
【技術分野】
【０００１】  この発明は円柱形のローラーの中央部分に凹の切り込みを入れ、仰向けになって背骨を凹部分に乗せ、自体重で前後にローラーを回転させながら身体と一体になって人間と器具の両方が動き、背筋伸ばしをする器具に関するものである。
【背景技術】
【０００２】  従来製品の技術は自動機では背骨の両脇をマッサージするが背骨の全般の両脇を一律に動き健常な部分までも施術している上に扱い方を誤れば脊髄を傷める危険性がある。
更に、背中を垂直もしくは水平にして施術するため「効きめ」が鈍い上に高価な費用がかかり、かつ、場所を大きく取る物も多い。
手動器では背骨の上を施術する物も多いので、扱い方を一歩誤れば、脊髄を傷める危険性がある。又、自分の腕を使用する物は腕に疲れが出る。更に、他人の手を煩わさなければならない物も多かった。
【先行技術文献】
【特許文献】
【０００３】
【特許文献１】特開２００３−３２５６０８
【特許文献２】特開２００４−３０５２３２
【特許文献３】特開２００４−２６１４０５
【特許文献４】特開２０００−１１６８１７
【発明の概要】
【発明が解決しようとする課題】
【０００４】  従来の背筋伸ばし機械、器具の欠点
（Ａ）自動機械・・・（１）人間の背中を垂直、斜め、もしくは水平に固定させて施術するため「効きめ」が鈍い上に健常な余計の部分も一律に施術する。
（２）施術中眠ってしまっても、機械は自動的に動き続け、脊髄を傷める危険性がある。
（３）高価かつ場所を多く占める。
（Ｂ）手動器具・・・（１）背骨の上を施術するため、脊髄を傷める危険性がある。
（２）施術中眠ってしまうと、脊髄を傷める危険性がある。
（３）自分の腕で使用すると腕に疲れが出る。
（４）他人に施術してもらうと不便である。
本発明は以上の欠点をなくすためになされたものである。
【課題を解決するための手段】
【０００５】（Ａ）  円柱形のローラー（標準型；長さ４５ｃｍ、直径１５ｃｍ）の中央部分に凹型の切り込み（標準型；幅５ｃｍ、深さ２ｃｍ）を作る。切り込みの中央に線を描く。
（Ｂ）  このローラーを室内の平らな床面に置き、中央線を床の継ぎ目に合わせる。
中央線の延長上に身体の中心線を合わせて、仰向けになって背中をローラーに載せる。  背骨を凹部の上に載せて施術する。
（Ｃ）  身体を前後に動かす事によって、ローラーが背中上部から腰部まで移動出来、連続的なマッサージをする。
（Ｄ）  施術者は自分が施術したい個所だけを選んで身体を動かし施術をする。
（Ｅ）  更に、後頭部を床面に着く位に曲げると、背中の湾曲も反りかえり、「効きめ」のある背筋伸ばしが出来る。
（Ｆ）  本来は背筋伸ばしの機械、器具は動かないものが多いが、本器具は身体が動くと同時に器具も動くのも特徴である．
（Ｇ）  本器具のローラーの幅は肩幅とほぼ同じにしてあるので、両腕をローラーの端の外側に置き、身体を移動させればローラーはまっすぐ床の継ぎ目上を回転する。従って、背骨部分が凹部分からはみ出ることはない。
（Ｈ）  間違って背骨が凹部分以外に載っても危険性のない硬さの材質（プラスチック等化成品、ゴム、化学繊維等）を使用するか、布やゴムで表面を覆う。
（Ｉ）  施術中眠ってしまっても身体はローラーの上にあるか、ローラーが枕になる位で、脊髄を傷めることは極めて少ない
但し、使用前の注意事項には眠ってしまう可能性がある時もしくは飲酒した後は使用不可と明記する。
【発明の効果】
【０００６】（Ａ）背骨を凹部分の上に載せて施術するので、脊髄を傷める可能性は低い。
（Ｂ）自分の施術したい個所だけを選んで施術出来る。
（Ｃ）自分の意志で動き、それに伴い器具も一体になって動くという精神的安堵感、満足感は精神衛生上も極めて良い。
（Ｄ）自分のペースで動作の速さを選べるので、安心かつ効果的に施術出来る。
（Ｅ）後頭部を床に着く位に曲げれば身体が反りかえり「効きめ」のある施術が出来る。
（Ｆ）短時間で手軽に背筋伸ばしが出来て、活力が出るため、快適な生活が送れて、家族円満になる。
（Ｇ）安価な器具、電気代無料、専門家によるマッサージの不要等による家計費の有効活用ができる。
（Ｈ）軽く比較的小さい器具なので、一家に１台あれば各部屋に持ち運び出来家族内のコミュニケーションが良くなる。
（Ｉ）機械式マッサージ機のように広いスペースを部屋の中に占めることなく、部屋を有効活用出来る。
（Ｊ）少しかさばるが、軽いのでボストンバッグ等に入れていけば旅先でも使用できる。
【図面の簡単な説明】
【０００７】
【図１】本発明の斜視図である。
【図２】本発明の断面図である。
【図３】本発明の立面図である。
【発明を実施するための形態】
【０００８】以下、本発明を実施するための形態について説明する。
円柱形のローラーの中央部分に切り込みをつけ、中心線を描く。
（イ）円柱形ローラーの長さ；（１）標準型・・・人間の標準的な肩幅の４５ｃｍを基準とする。体型により長さの変化はある。
（２）ペア型・・・長さを１メートル位にして、標準型を２個造り、中央に１０ｃｍ位の余白を設け、ペア、親子等同時に使い、親睦を深める。
（３）分離型・・・旅行等に持参できるように、４５ｃｍを２等分以上４５等分にして分離し、中に接続棒で差し込み式にするか磁石による接着式等に接続して使用する。
（ロ）中央部分の切り込みの形状；
（１）凹型・・・切り込みのへこみ部分の幅は５ｃｍを標準とし深さも２ｃｍを標準とする。但し、使用者の背骨の太さにより、変化させることがある。
（２）Ｖ字型・・・幅、深さ、変化させる点等同上。
（３）Ｕ字型・・・幅、深さ、変化させる点等同上。
（４）その他・・・リンゴ型、電球型、台形型等も同上。
（５）面取り・・・切り込みの面取りの実施、不実施は材質により、選択可とする。
（ハ）円柱形の直径；  （１）標準型・・・１５ｃｍを標準とするが、使用者の胸部の厚さにより、前後しても可とする。
（ニ）円柱形ローラーの材質；
（１）標準型・・・プラスチック等化成品、ゴム類、化学繊維類を標準とする。
（２）その他・・・竹、木材、陶器、金属等の表面に布、ゴム、テープ、プラスチック等で覆いをしても可とする。
【符号の説明】
【０００９】１円柱形ローラー
２切り込み
３中心線
【図１】
2015217271.tif 000003
【図２】
2015217271.tif 000004
【図３】
2015217271.tif 000005
(57)【要約】【課題】ロボットに手のつかむ動きとつかんだ確認をさせるには、モーター駆動やエアーシリンダーで挟み接触スイッチで確認するか何本もの電線やセンサーを配置しなければならないので複雑で重く配置やセットに時間を要し高価である。【解決手段】吸盤の空気の吸引穴を小さく絞り，１本のチューブでつながった蛇腹が吸盤を引き寄せるよう配置しユニット化すると１本のチューブの空気を吸引するだけで蛇腹の収縮が吸盤を引き寄せ製品を挟み正常に密着する結果空気圧が完全に遮断された圧力をスイッチ切り替わり蛇腹の挟む力と吸盤の相乗効果でキャッチが確認信号検出出来る。【選択図】図１
2015217508.tif 000002
【特許請求の範囲】
【請求項１】
配管内の圧力を下げる為の吸盤内の空気の吸引穴の大きさを絞り、空気を吸引したら同一配管で接続してある蛇腹が先に収縮するので蛇腹が吸盤保持金具を引き寄せ，吸盤が製品に密着すると完全に空気が遮断されるので真空圧がより下がり圧力スイッチが切り替わりキャッチ確認信号が出せる、１つの真空圧を蛇腹の収縮で１段階、吸盤の密着で２段階に利用して真空チューブ１本でつかみと、確認出来る、連携ユニット。
【発明の詳細な説明】
【技術分野】
【０００１】  本発明は、一本のチューブの真空圧のみで、つかむ動作と確認検知をするロボットハンドの吸盤チャックの考案です。
【背景技術】
【０００２】  製品をロボットなどでつかむにはエアシリンダやモーターで挟み、つかんだ確認に接触センサーなど何本もの配管や配線が必要です。【０００３】  しかし、ロボットのチャックは、高速で動くため軽くて小さいく信頼性を上げるためにはシンプルである必要がある。【０００４】  その上、部品点数が多いとセットアップに長時間要しでコストが高い上故障も多い問題があった。【０００５】  この改善策として蛇腹と吸盤を１本のチューブで配管し吸盤の吸引穴を絞ることで少し下がった圧力で蛇腹を収縮させる事で吸盤を引き寄せ製品を挟み，吸盤が密着する事で吸盤からの空気の侵入が無くなり真空圧がより下がることで、圧力スイッチが切り替わり製品が正常にキャッチ出来た事を確認信号が出力できる。
【発明の開示】
【発明が解決しようとする課題】
【０００６】  解決しようとする問題点は、通常のロボットハンドでは、重いシリンダーとキャッチ確認センサーと電線と配管が必要なので複雑で費用と時間がかかる点である。
【課題を解決するための手段】
【０００７】  本発明は、１配管の真空圧チューブの流入空気量の制限だけで接触センサーを兼ねた吸盤を蛇腹の収縮で寄せて製品をキャッチして確認を吸盤の吸着により大気圧遮断による真空圧低下が圧力スイッチを切り替えることを特徴とする。
【発明の効果】
【０００８】  本発明の蛇腹の収縮による吸盤の引き寄せる事により正常に製品をつかむと吸盤が密着されることで真空圧の低下が圧力スイッチ切り替え、ロボットは正常に製品をつかんだ事を認識できる。これは蛇腹と吸盤を台に組み合わせると１本の真空圧チューブで１本の指の動きに相当する利点がある。
【発明を実施するための最良の形態】
【０００９】  吸盤は、吸着面の大小、蛇腹は、収縮寸法を選択して交換できる事で製品の形状に細かく対応しユニットを多数配置しても１本の真空圧チューブを分配配管するだけで同じタイミングで挟み解放する事を実現した。
【実施例１】
【００１０】  図１は、本発明装置の１実施例の側面図であって、１〜５は、図２と同様である。また、図２は、４個のユニットで１本のチューブで配管してある。【００１１】  圧力スイッチは、真空発生装置と共にチューブの元に有り本発明の主体は蛇腹と吸盤の連携機構にあるので、真空発生装置と圧力スイッチの説明は省略する。【００１２】  一般に吸盤は、中心に吸引穴が有り穴の大きさは空気を吸引した時大きいままだと空気が入りすぎて蛇腹が収縮しないので、穴は小さくすることが大事です吸盤は穴がかえって小さい方が反応が早く、接触させるだけで吸着面が広ければ強力なので蛇腹の挟み力と相乗効果があり強力に保持できる。【００１３】  １個のユニットを製品の形状と数に合わせて，数個配置する事が簡単です。
【図面の簡単な説明】
【００１４】
【図１】蛇腹引き寄せ吸盤ユニットの実施方法を示した説明図である。（実施例１）
【図２】蛇腹引き寄せ吸盤ユニットを４個使った実施方法を示した説明図である。（実施例２）
【符号の説明】
【００１５】１  製品
２  吸盤
３  蛇腹
４  台
５  真空圧チューブ
【図１】
2015217508.tif 000003
【図２】
2015217508.tif 000004
(57)【要約】【課題】これまでゆで卵をみじん切りする時はまな板の上で包丁で切って作成することが大半だった。また従来のゆで卵みじん切り器は刃を動かすものが主流で、ゆで卵が移動してしまう問題点があった。ゆで卵が移動するとみじん切りサイズにむらができることがあった。また安全性も低かった。【解決手段】ゆで卵を格子状の刃が付いたケースに入れ、挟むタイプにすることにより安全性を高め、簡単で少しの力で素早くみじん切りを可能にした。上下土台部分を板状にすることにより安定し、ケース下部から出るみじん切りを容器に入れやすくした。【選択図】図４
2015217111.tif 000002
【特許請求の範囲】
【請求項１】
片方のみ稼働できる上下の板状で挟むように使用することで
少しの力でゆで卵を押し出せる
【請求項２】
ゆで卵を入れるケースを使用することにより
ゆで卵が滑るのを防ぎ、安全かつ、短時間でみじん切りにできる
【請求項３】
ケース下部に取り付けられた格子状の刃により
綺麗なみじん切りが素早くできる
【請求項４】
ケース下部に付けられた格子状の刃は
最下部より少し上に取り付けることにより
安全性を高めている
【発明の詳細な説明】
【技術分野】
【０００１】
調理器具
【背景技術】
【０００２】
ゆで卵を素早くみじん切りにする為、従来は刃を押し付けるタイプの物や
刃をおろして潰すタイプの物があった。
【先行技術文献】
【特許文献】
【０００３】
【特許文献１】特許公開２００４−２４９０８３ゆで卵みじん切り器
【発明の概要】
【発明が解決しようとする課題】
【０００４】
ゆで卵をまな板の上でみじん切りにすると均一になりにくく、飛び散りやすい。
またまな板がとても汚れる。
刃を押し付けるタイプの物も下が平らである必要があり、またゆで卵も滑りやすい。
刃を交差や回転させるタイプは途中でゆで卵が移動して形がくずれることがある。
【課題を解決するための手段】
【０００５】
ゆで卵をケースにいれて挟むことにより、ゆで卵が作業途中で滑らなくなる。
土台板状部分を容器などにのせて使用することにより、ゆで卵によるまな板や容器の汚れが軽減する。
この容器などの上で使用することにより、上部から押し付ける方法となり、
軽い力でゆで卵のみじん切りが完成する。
ケース下部に取り付けられた格子状の刃により均一なみじん切りが素早く、安易にできる。
【発明の効果】
【０００６】
刃がケース下部にあるので刃が手にあたりにくく、安全である。
挟む仕様であり、ケースでの固定でゆで卵が動きにくいので軽い力で素早くできる。
ゆで卵が動きにくいので均一で綺麗なみじん切りができる。
【図面の簡単な説明】
【０００７】
【図１】ゆで卵を入れるために開けた状態図
【図２】ゆで卵みじん切り器を横から見た図。
【図３】開けたゆで卵みじん切り器を上から見た図
【図４】ゆで卵みじん切り器を横から見た図
【発明を実施するための形態】
【０００８】
図面で解説します。
2の下部分に取り付けられたケース４にゆで卵をいれます。
１と２で挟むようにゆで卵を入れたまま軽く押さえます。
５に付けられた格子状の刃によりみじん切りになったゆで卵が
ケース下部から押し出されます。
【実施例】
【０００９】
簡単、安全、安価でのゆで卵みじん切り器として
主に一般家庭で使用。
【産業上の利用可能性】
【００１０】
簡単に少しの力でゆで卵のみじん切りを素早く作ることができる。
一般家庭だけでなく、料理屋などの少量作成にも便利である。
電力なども必要でなく、手入れも簡単、費用も安価で作成でき、
お手軽な台所用品として提供できる。
【符号の説明】
【００１１】
符号の説明
1、上部分。ゆで卵を押し出すための突起がある
2、下部分。ゆで卵を入れる刃のついたケースがある
3、ゆで卵を押し出す為の突起部。1に付属する。
4、ゆで卵を入れるケース部分。2に付属する。
下部に切断の為に格子状の刃がある。
5、ゆで卵を切断する為の格子状の刃がある。
【図１】
2015217111.tif 000003
【図２】
2015217111.tif 000004
【図３】
2015217111.tif 000005
【図４】
2015217111.tif 000006
(57)【要約】      （修正有）【課題】船体側面に流れる水流抵抗で船体の推進力を低下することなく、推進中の船体に流れる水流機構を効果的に改善し、推進力を発揮する推進機構を提供する。【解決手段】船舶が水面を推進中、推進中の船首２の水流口３に流れる水流は、船体１内側左右の水路４に流した水流が水路４で推進力を発揮させる水流となり、船体船尾５に放水し、船体１を推進させる水流となり、船体前後左右の傾きや船体１の揺れを防止するとともに、安定した船体１となる推進機構効果を発揮する。【選択図】図１
2015217934.tif 000002
【特許請求の範囲】
【請求項１】
船舶の推進機構は船尾のスクリューで船体を推進させるが、推進中の船体側面に流れる水流の抵抗で船体は推進力を低下させるため船体船首を改良し、推進中船体に流れる水流は推進力を備えた水流となり、船体は安定した水平を保ち、燃費は減少し、船体は安定した推進機構となる。
【請求項２】
船体側面の水流機構を改善した水路を形成した水路を備えた請求項１記載の船体推進機構。
【発明の詳細な説明】
【技術分野】
【０００１】本発明は船舶の推進機構に関する。
【背景技術】
【０００２】従来の船舶は船尾のスクリューで船体を推進させる機構である。
【発明の概要】
【発明が解決しようとする課題】
【０００３】以上に述べた従来の船舶は推進中、船体側面に流れる水流の抵抗で船体は推進力を低下させる。【０００４】本発明は、このような従来の構成が有していた問題を解決しようとするもので推進中の船体に流れる水流機構を効果的に改善し推進力を発揮し実現することを目的とする。
【課題を解決するための手段】
【０００５】本発明は上記目的を達成するために船体が水面を推進中船体側面に流れる水流の抵抗で船体は推進力を低下するため船体船首を改良した。船首に流れた水流は船体の水流力を発揮した推進機構となる。【０００６】上記第一の課題解決手段による作用は、次の通りである。船体内側に流れる水流は船体左右の水路で水流力を発揮した水流となり、船体を安定させた水流機構となる。【０００７】また第二の課題解決手段による作用は船体内側左右の水路で船体を水平に導き安定させた推進機構となり推進力効果を発揮する。
【発明の効果】
【０００８】上述したように本発明の推進機構の水流は船体内側左右の水路を流れ、船体を推進させる水流機構で船尾に放水し船体を推進させる水流力となる。【０００９】また推進中、船尾のスクリューとともに船体に推進力を備え推進効果を発揮するものである。
【図面の簡単な説明】
【００１０】
【図１】本発明の実施形態を示す船体全体側面図  推進中の船体側面断面図
【図２】船首からの水流を船底左右の水路に流す船底図
【図３】船体船首の水流口
【図４】断面した船体内側の左右の水路
【図５】船体の水流を放出する船尾の放水口
【発明を実施するための形態】
【００１１】以下本発明の実施形態を図１〜図５に基づいて説明する。
【００１２】図において１は推進中の船体側面図で推進中の船体１の船首２から流れた水流は船体１船首２の水流口３に推進水流として船体内側左右の水路に流し船体１を推進させる水流となり船尾５の放水口６に放水させ船体１を推進させる水流となる。
【００１３】船体１の推進水流を船尾５のスクリューの推進水流とともに船尾５に放水、船体１を推進させる水流力機構となる。
【００１４】以下上記構成の動作を説明する。推進中の船首２の水流口３に流れる水流は船体１内側左右の水路４に流した水流は水路４で推進力を発揮させる水流となり、船体船尾５に放水し船体１を推進させる水流となり、船体前後左右の傾きや船体の揺れを防止するとともに安定した船体となり推進機構効果を発揮する。
【符号の説明】
【００１５】２  船体推進水流口の船首
３  船首からの推進水流を船体に設けた水路
４  船体を推進させる水流の水路
【図１】
2015217934.tif 000003
【図２】
2015217934.tif 000004
【図３】
2015217934.tif 000005
【図４】
2015217934.tif 000006
【図５】
2015217934.tif 000007
(57)【要約】【課題】本発明は、限られた敷地上に設置されたタンク群からなる既存の貯留施設で、可能な限り大量の水を貯留するための技術の提供にある。【解決手段】本発明は、地上に設けた複数のタンクからなる貯留施設において、当該既存の貯留施設のタンクの隙間および周辺にブロックを充填し補助貯留施設とし、前記補助貯留施設と既存の貯留施設を合わせた合同貯留施設の周囲に遮水層を設けた貯留施設である。限られた面積内に最大限貯留できるようタンクとタンクの間を新たな貯留空間とするため雨水等の流出抑制用施設の構築に使用されるブロックをタンクとタンクの間および周辺の空間に充填し、その空間をも貯留施設とした。【選択図】図1
2015217945.tif 000002
【特許請求の範囲】
【請求項１】
地上に設けた複数のタンクからなる貯留施設において、当該既存の貯留施設のタンクの隙間および周辺にブロックを充填し補助貯留施設とし、前記補助貯留施設と既存の貯留施設を合わせた合同貯留施設
の周囲に遮水層を設けた貯留施設。
【発明の詳細な説明】
【技術分野】
【０００１】
本発明は、貯留量を一時的に増大する貯留施設の構築技術に属する。
【背景技術】
【０００２】
複数のタンク群からなる貯留施設を構築し、そのタンク群に構造上の問題点が発見あるいは発生し、そのタンク群を新規に構築しなおす必要が発生することがある。その場合、新たなタンク群を構築する用地に問題ない敷地に恵まれた場合は極めてまれとなる。そうすると、撤去し新たに構築しなおすべき一つのタンク群に貯蔵された液体を他のタンク群に移送する必要が発生する。移送先のタンク群の貯留量に余裕のある場合は問題ないが、余裕のない場合は新たに貯留場所を設けなくてはならない。今福島の原子力発電所では汚染水の貯蔵に関し上記問題点が発生している。
【先行技術文献】
【特許文献】
【０００３】
【特許文献１】特開２０１０−２５５２８１
【発明の開示】
【発明が解決しようとする課題】
【０００４】
本発明は、限られた敷地上に設置されたタンク群からなる既存の貯留施設で、可能な限り大量の水を貯留するための技術の提供にある。
【課題を解決するための手段】
【０００５】
本発明は、地上に設けた複数のタンクからなる貯留施設において、当該既存の貯留施設のタンクの隙間および周辺にブロックを充填し補助貯留施設とし、前記補助貯留施設と既存の貯留施設を合わせた合同貯留施設
の周囲に遮水層を設けた貯留施設である。
限られた面積内に最大限貯留できるよう既存のタンクとタンクの間を新たな貯留空間とするため雨水等の流出抑制用施設の構築に使用されるブロックをタンクとタンクの間の空間に充填し、その空間をも貯留施設とした。
【発明の効果】
【０００６】
本発明は、地上に設けた複数のタンクからなる貯留施設において、当該既存の貯留施設のタンクの隙間および周辺にブロックを充填し補助貯留施設とし、前記補助貯留施設と既存の貯留施設を合わせた合同貯留施設の周囲に遮水層を設けた貯留施設としたので、以下の効果がある。（１）限られた面積で大きな貯留量が可能となる。
（２）水の行き来が阻害しないブロックを充填したため、地震動を受けても補助貯留施設内のスロッシングを低減する。
【図面の簡単な説明】
【０００７】
【図１】は、本発明の合同貯留施設の概念図である。
【図２】は、ブロックと遮水シート敷設方法の例を示す概念図である。
【図３】は、従来の貯留施設の概念図である。
【図４】は、ブロックの例を示す。
【発明を実施するための形態】
【０００８】
以下、本発明を図により詳細に説明する。
図1に示す通り、本発明は、地上部に設けたタンク群からなる貯留施設でタンクとタンクの間に雨水等の流出抑制施設の構築に使用される帯水材をブロックとして充填し、既存の貯留施設内に補助貯留施設を構築し、得られる合同貯留施設の貯留量を増大させたものである。既存のタンクの基礎が各タンクごとに個別に設けられている場合、補助貯留施設の基礎は他の既存タンクの基礎と水平に段差のないよう一体化させることが好ましい。
補助的貯留施設および既存の貯留施設からなる合同貯留施設の外側は補助的貯留空間からの水圧を抑えるための保護壁が設けられている。さらに図1では保護壁の内部に遮水シートあるいは樹脂コーティング層などの遮水層が設けられている。保護壁自体を遮水層とすることでもよい。
【０００９】
タンク内の貯留物の漏洩防止、漏洩検知のため、以下を実施することが好ましい。
（１）タンクの外表面に樹脂製たとえばポリウレタン樹脂の泡を吹付けタンクからの漏洩を防止する。
（２）タンクとタンクの間に十分な距離がある場合は、各タンクの周囲に点検用の通路部あるいは空間を設けておく。
【００１０】
図１に示すように既存のタンクとタンクの間およびその周辺にブロックを充填し、既存の貯留施設と補助貯留施設からなる合同の貯留施設の外周、保護壁の内部に遮水層を設ける方法でもよい。この場合遮水層の端部をタンク群の基礎面に接着剤で貼り付け接触面からの漏水がないよう必要に応じてポリウレタン樹脂の泡を吹付け漏洩防止を強化する。あるいは合同貯留施設の底部および保護壁の内面に樹脂の泡を吹きつけて遮水する方法でもよい。
また図２に示すよう、充填したブロックをタンク群によって形成される隙間の縦あるいは横方向に直線状にまとめて遮水シートで包み、上記縦あるいは横方向を繋ぐそれぞれのブロックも遮水シートで包み、小貯留部として補助貯留施設内に配置する方法でもよい。
貯留施設内の各タンクおよび小貯留部には水の出し入れを可能とする配管を設けておく。小貯留部は図１と同様丸いタンクの周辺三角状の場所にも設けることができる。
【００１１】
貯留施設の上部は、好ましくは、最外周の保護壁を含め遮水層で覆い、雨水が貯留施設内部へ浸入することを防止する。
【００１２】
遮水層はゴム製あるいは樹脂製の土木用の遮水シート、樹脂の吹き付けによる膜形成等で構築することができる。
またブロックは雨水等の流出抑制用施設の構築に使用される図４に示す帯水材が使用できる。
【００１３】
保護壁は敷地に余裕があれば土で構築してもよく、コンクリート等で構築することもできる。補助貯留施設に貯留された水による水圧に耐えるものであればよい。
【産業上の利用可能性】
【００１４】
大量の水、例えば雨水、汚染水などの貯留に使用される。
【符号の説明】
【００１５】
１  合同貯留施設
２  補助貯留施設
３  保護壁
４  遮水層
５  ブロック
６  既存の貯留施設（タンク）
７  小貯留部
【図２】
2015217945.tif 000003
【図３】
2015217945.tif 000004
【図４】
2015217945.tif 000005
【図１】
2015217945.tif 000006
(57)【要約】【課題】 従来発表、車用日除け設備は、設置後横風対策なく効果減少があり、収納時の煩わしさがあり、特に便利性の問題があり、未だ普及されないのは、上述した課題があると考えられる。【解決手段】上記課題を克服し、より便利性を追求し、横風防止対策にはレザ−布に開口部を設け、収納時は、中折れができ、コンパクト化し車内収納ができる、使い易い便利性の課題解決をした本機器である。上記目的を達成するために、車全体を覆う効果にレザ−布に開口部切り込みを設け、横風対策を施し、収納時は真ん中が折れコンパクト化し車内収納ができる便利性の問題解決を図ったものである。【選択図】  図8
2015217716.tif 000002
【特許請求の範囲】
【請求項１】
収納時は小さく折畳めコンパクト化できる、ドラムにロ−ル状にレザ−布が自動巻き取りができ、強風対策にはレザ−布に切り込み開口部を備える特徴をした、日除け装置
【発明の詳細な説明】
【技術分野】
【０００１】
本発明は野外に置ける、車の車内温度減少及び劣化保護を図った装置に関する。
【背景技術】
【０００２】
従来発表の、車の保護装置は、夏期外気温度30度時、1時間経過後、車内密封温度40~60周りの立地条件により、温度上昇になり、不快な経験があると確信する、しかし業界発表表示装置(特許文献１参照)横風に耐えられなく、効果減少、さらに機器全体が長く、(例えば、実用新案文献１参照実開昭54-67444 )郊外駐車時は、車内収納が容易でない不便利な課題があると考えられる。
【先行技術文献】
【特許文献】
【０００３】
【特許文献１】特表2007-508993
【特許文献２】実開昭54-67444
【特許文献３】実登3066789号
【発明の概要】
【発明が解決しようとする課題】
【０００４】
上記に述べた従来発表機器は、横風防止対策や収納時、機器が長く車内収納には、不便利な問題課題があり、あれば誰をもが不快が生じないが、未だ普及されていない。
【０００５】
本発明はこれら上記課題を図り、より便利性に重点を置き、問題を解決しようとするものである。
【課題を解決するための手段】
【０００６】
上記目的を達成するために、車全体を覆う効果にレザ−布に開口部切り込みを設け、横風対策を施し、収納時は真ん中が折れコンパクト化し車内収納ができる便利性の問題解決を図ったものである。
【発明の効果】
【０００７】
上述したように、本発明は設置時、車全体を覆い、効果を上げるためレーザ−布に開口部切れ目を設け強風対策を図り、収納時は真ん中が折れコンパクト化し車内収納ができ、より便利さを重点的に工夫したものであり、真夏の炎天下の車内温度減少・劣化防止効果を発揮するものである。
【図面の簡単な説明】
【０００８】
【図１】本発明の実態形態を示す日除け設置完成側面図
【図２】ロ−ルドラム側面図
【図３】レザ−布切れ目開口部平面図
【図４】レザ−補助支柱側面図  as方向収納 側面図
【図５】レザ−内部巻き取り内部構造断面図
【図６】−16−2 sa方向-真ん中で>折れ曲がる構造断面図
【図７】G磁石設置側面図
【図８】コンパクト化し折り畳み>収納内部断面図
【発明を実施するための形態】
【０００９】
以下、本発明の実施形態を図1~図8に基づいて説明する。
図2ドラムを図1に設置図2ロールされた図3レザ−をa取り出し図1に設置完成。
図4  4−4補助支え4-3を磁石を車上に付け図1のように設置完成する。
【００１０】
収納時は、図3a図2ドラムよりレザ−布をa引き出し、s方向にロール状に自動巻き取りができる図6−2s・a6−2左右に引き、真ん中を>折り曲げ4−5磁石に付け固定図７より７−7図8に収納する。
【００１１】
車外設置は、夏場は車内温度40~60度の高温や劣化を避けるため、日除け設置効用を誰もが望み、あれば便利で不快感を解消できるが、しかしながら、従来発表機器は便利性、収納時に問題課題があり、未だ普及されていない、上述問題課題を克服し、より便利性を追求し解決を図ったものである。
【符号の説明】
【００１２】
2−3  ロールドラム
3−4  レザ−布開口部
4−4  補助支柱
5−4  レザ−布巻き取り芯
5−5  レザ−布巻き取り中芯
5−6  レザ−布取り付け
5−7  折り曲げ補助金具ピン
5−8  レザ−巻き取りバネ
7−7  取り付け>磁石
【図１】
2015217716.tif 000003
【図２】
2015217716.tif 000004
【図３】
2015217716.tif 000005
【図４】
2015217716.tif 000006
【図５】
2015217716.tif 000007
【図６】
2015217716.tif 000008
【図７】
2015217716.tif 000009
【図８】
2015217716.tif 000010
(57)【要約】      （修正有）【課題】従来の高速撹装置は、撹拌子を回転するだけで、撹拌槽を逆回転させる考え方はなかった。しかも高速度回転だけでなく、撹拌子と撹拌槽の正逆回転する境目の内容物の互いに摩擦せん断粉砕する量を多くし，それが可能な限り短時間に行われる事が必要である。そのためには最適な回転と最適なせん断加工をコントロール出来なければならなかった。最適な回転数をコントロール出来、より短時間に効果の高いせん断撹拌が可能になるせん断攪拌装置を提供する。【解決手段】撹拌子と撹拌槽が互いに正逆回転し、しかも撹拌槽の邪魔版を取り付けて正逆回転の境目の内容物の層を厚くしせん断粉砕量を上げるだけでなく対流を促しまんべんないせん断粉砕加工が出来、またインバーターやギヤードモータにより最適な回転数をコントロール出来、より短時間に効果の高いせん断撹拌が可能になる。【選択図】図１
2015077585.tif 000002
【特許請求の範囲】
【請求項１】
（イ）槽側に邪魔板を付け、撹拌子と逆回転し、
（ロ）用途に応じて各種の羽根を付けた撹拌子を正回転し、
（ハ）槽と撹拌子の回転速度をインバーターなどで調節出来るせん断撹拌装置。
【請求項２】
上記撹拌装置の槽に邪魔板を付けて、中心の撹拌子と逆回転するよう上下に回転軸を儲けた撹拌槽と、用途に応じた撹拌羽根の付けた，回転式撹拌槽と同軸の撹拌子を正回転し槽と撹拌子の回転を，別々にインバーターで回転制御出来る請求項１せん断撹拌装置。
【発明の詳細な説明】
【発明の詳細な説明】
【産業上の利用分野】
【０００１】本発明は、撹拌装置に於いて、撹拌槽と撹拌子とが正逆回転することにより、槽の逆回転遠心力と羽根の正回転力により撹拌される丁度境目に於ける物体が強力にせん断され、高速度回転により短時間にせん断撹拌される、以後対流により均一に混ざる。
槽に付けたお邪魔版は、逆流の量と回転力を上げることになり、また撹拌槽の回転と撹拌子の回転を変えることによりせん断撹拌する物質に最適な条件を与えることが出来る。
【背景技術】
【０００２】従来は、羽根つきの撹拌子の回転だけでせん断撹拌を行っていたため、充分にせん断させるには長時間の撹拌が必要になるのと、撹拌子の羽根によるせん断撹拌であるため、充分にしかも短時間にせん断撹拌が行われなかった。
【発明が解決しようとする課題】
【０００３】従って本発明が解決しようとする課題は、撹拌槽そのものを高速度に，回転子と逆回転させ、内容物の正逆回転が重なるところで摩擦的なせん断力が発生し、撹拌子そのもののせん断力と相乗して短時間に完全なせん断撹拌が行われ、また槽に取り付けた邪魔版によりより一層せん断力を上げることが出来、あとは対流により全体が混合される。
【課題を解決する為の手段】
【０００４】この課題の解決には、撹拌子を正回転させる高速度汎用モーターと撹拌槽を逆回転させる高速度汎用モーターに直結した接触式回転ローラーとインバーター制御による回転制御装置から構成される。
撹拌槽と撹拌子は同軸で正逆回転するので、撹拌装置のブレも少なく、高速度回転に向く。
また撹拌槽の回転には、ローラーを１台から数台を付けて安定度と回転力を上げることが出来る。
撹拌槽と撹拌子の回転を各々独立して回転制御することにより、撹拌内容物に合わせた最適撹拌が可能になる。
また、撹拌槽に付けた邪魔版がよりせん断力を上げ、内容物の対流を促進する。
【発明の作用】
【０００５】本発明は、基本的にハ（イ）〜（ハ）の手段から成り立っている。
（イ）撹拌装置の槽に邪魔板を付けて、中心の撹拌子と逆回転するよう上下に回転軸を儲けた撹拌槽と
（ロ）用途に応じた撹拌羽根の付けた、回転式撹拌槽と同軸の撹拌子を正回転し、
（ハ）槽と撹拌子の回転を，別々にインバーターで回転制御出来るせん断撹拌装置。
撹拌装置の撹拌槽は、ステンレス製から樹脂製、その他の金属製など様々例示できるが、撹拌槽そのものを回転させるため軽量な材質の方が適している。
しかし、撹拌物によって錆の発生や化学反応を起こさないものを設定しなければならない。
撹拌装置を回転させる為に使用するローラーは、ゴム製のものから摩擦度の高く取れる樹脂製やその他樹脂繊維製など多くのものが例示出来る。
また、撹拌羽根は、剪断する歯の付いたものから、歯の無い撹拌目的だけのもの、混合目的だけのもの、また羽根の数も２枚から複数枚まで多くの種類が考えられる。特に果物や野菜のピューレ製作などの場合、細胞を切断する事なしに細胞を活かして微細化するため羽根の形状をそれに合わせたものにしなければならない。使用されるモーターは、１０，０００回転から２０，０００回転前後の高速汎用モーターかギヤードモーターなど回転制御が可能なモーターが例示出来る。
ワット数も、０．０６５ｋｗ〜３．７５Ｋｗまで、用途によって決定される。
【符号の説明】
【０００６】図１はせん断撹拌装置の側面図である。
図２は裏面図である。
Ｍはモーターである。
【図面の簡単な説明】
【０００７】モーター（Ｍ）の回転はローラーに伝達され、攪拌槽を回転させる。それとは逆方向に装置中心部にあるモーター（Ｍ）によって攪拌子を回転させ、それによって攪拌羽根を回転させる。
2015077585.tif 000003
【手続補正書】
【提出日】平成25年12月12日(2013.12.12)
【手続補正１】
【補正対象書類名】明細書
【補正対象項目名】０００７
【補正方法】変更
【補正の内容】
【０００７】
【図１】モーター（Ｍ）の回転はローラーに伝達され、攪拌槽を回転させる。それとは逆方向に装置中心部にあるモーター（Ｍ）によって攪拌子を回転させ、それによって攪拌羽根を回転させる。また、邪魔版によりせん断力を上げ、内容物の対流を促進する。
【図２】攪拌槽においてのローラー及びモーター、攪拌羽根、邪魔板の配置を示したものである。
【手続補正２】
【補正対象書類名】図面
【補正対象項目名】全図
【補正方法】変更
【補正の内容】
【図１】
2015077585.tif 000004
【図２】
2015077585.tif 000005
(57)【要約】      （修正有）【課題】剥き出しとなっているプロペラの羽根部分が浅瀬の海底の岩等に接触したり、海中の異物を干渉し、羽根を損傷したり等のトラブルを解消する安全性を高めた船外機を提供する。【解決手段】船外機ケーシング１００において、プロペラ１０１部分の周囲に筒状のコルトノズル１にて覆い、ブラケット３と固定プレート２を用いて、ビス２ａ、３ａ、４により固定する。これにより回転するプロペラが浅瀬の海底の岩等に接触したり、海中の異物と干渉することを防止する。【選択図】図１
2015077952.tif 000002
【特許請求の範囲】
【請求項１】
船外機ケーシング１００のプロペラ１０１部分に、ブラケット３と固定プレート２を用いてビス１＿２ａ、ビス２＿３ａ、ビス３＿４にて固定されたコルトノズル１で、現状品を改造可能とする安全性を高めた事を特徴とするコルトノズル。
【請求項２】
船外機の新規生産時に船外機ケーシング１００にコルトノズル１が一体化されて安全性を高めた事を特徴とするコルトノズル。
【発明の詳細な説明】
【技術分野】
【０００１】この発明は、船舶に使われている船外機やインボードアウトドライブなどのエンジンを有したプロペラに関する物である。
【背景技術】
【０００２】従来、プロペラは羽根部分が剥き出しとなっている。【０００３】従来の技術でコルトノズルは駆動推進力を高めたり、操舵のためのコルトノズル舵として使われているが一般的な安全保護具としては使われていない。
【発明の概要】
【発明が解決しようとする課題】
【０００４】従来の技術で、プロペラの剥き出しとなった羽根部分は回転している時に、浅瀬で海底の岩等に接触したり海中の異物と干渉し、羽根を損傷したりシャーピンが折れるトラブルが発生する。【０００５】また、海中の様子が見えないところでは潜水している人とプロペラが干渉したり、航行中の船舶より海中に投げ出され人がプロペラと干渉するなど人身事故も発生する。【０００６】また、係船に使う錨の錨綱などをプロペラに巻き込んでしまうトラブルも少なく無い。
【課題を解決するための手段】
【０００７】以上の課題を解決するために、プロペラの周囲を筒状のコルトノズルにて覆い回転するプロペラが異物と干渉することを防ぐ。
【発明の効果】
【０００８】本発明によれば、浅瀬で海底の岩等に接触したり海中の異物と干渉し、羽根を損傷したりシャーピンが折れるトラブルが減少する。【０００９】また、海中の様子が見えないところで潜水している人がいて推進器と干渉するような事があっても重大事故にはなり難い。航行中の船舶より海中に投げ出され人があっても同様で重大事故にはなり難い。【００１０】また、係船に使う錨の錨綱などをプロペラに巻き込んでしまうトラブルも減少する。
【図面の簡単な説明】
【００１１】
【図１】コルトノズル１を付けた状態の背面図
【図２】コルトノズル１を付けた状態の側面図でコルトノズル部はＡ−Ａ間断面図
【図３】従来のプロペラ１０１の背面図
【図４】従来のプロペラ１０１の側面図
【図５】実際にコルトノズル１を付けた状態の背面画像
【図６】実際にコルトノズル１を付けた状態の側面画像
【発明を実施するための形態】
【００１２】この発明の一実施形態を、図２に示す。船外機ケーシング１００のプロペラ１０１部分にコルトノズル１を、ブラケット３と固定プレート２を用いてビス１＿２ａ、ビス２＿３ａ、ビス３＿４にて固定する。
【符号の説明】
【００１３】１コルトノズル    ２固定プレート    ２ａビス１    ３ブラケット    ３ａビス２
４ビス３    １００船外機ケーシング    １０１プロペラ
【図１】
2015077952.tif 000003
【図２】
2015077952.tif 000004
【図３】
2015077952.tif 000005
【図４】
2015077952.tif 000006
【図５】
2015077952.tif 000007
【図６】
2015077952.tif 000008